(57)【要約】【課題】コーティングされた唇化粧料の欠落を避けて、そのコーティング面を保護することができる唇化粧料シート体を提供する。【解決手段】唇化粧料シート体１は、折り曲げて唇で挟むことでその唇に唇化粧料を塗ることのできるシート本体Ｂを備える。シート本体Ｂは、口紅がコーティングされたコーティング面２ａを有するコーティングシート２と、前記コーティング面２ａ上に配置されて、人の唇を模した形状の抜き孔を有するガードシート３と、前記コーティングシート２の、前記コーティング面２ａとは反対の側に設けられるベースシート４とを備える。前記ガードシート３上にはカバーシート５が配置される。前記コーティング面２ａは、カバーシート５により保護され、また、ガードシート３により、カバーシート５とコーティング面２ａとは離されるので、コーティングされた口紅がカバーシート５に付着することを低減あるいは回避できる。【選択図】図１
2008029522.tif 000002
【特許請求の範囲】
【請求項１】
折り曲げて唇で挟むことでその唇に唇化粧料を塗ることができるシート本体を備えた唇化粧料シート体であって、
前記シート本体は、前記唇化粧料がコーティングされたコーティング面を有するコーティングシートと、そのコーティングシートの前記コーティング面上に配置されて、人の唇を模した形状あるいはそれを包含する形状の抜き孔を有するガードシートとを備え、
前記ガードシート上にはカバーシートが配置されてなる、唇化粧料シート体。
【請求項２】
前記コーティング面は、前記唇化粧料が前記コーティングシートの全面に及ぶようにコーティングされてなる、請求項１に記載の唇化粧料シート体。
【請求項３】
前記コーティングシートの、前記コーティング面とは反対の側に、前記シート本体を構成するベースシートが設けられており、そのベースシートには、折り曲げのための、印、折り目、またはミシン目が設けられている、請求項１または２に記載の唇化粧料シート体。
【請求項４】
前記カバーシートの、前記ガードシートと対面する側の面、あるいは前記ガードシートの、前記カバーシートと対面する側の面に、凹凸状の加工が施されてなる、請求項１乃至３のいずれか１項に記載の唇化粧料シート体。
【請求項５】
前記コーティングシートまたは／および前記ガードシートには、折り曲げのための、印、折り目、またはミシン目が設けられている、請求項１乃至４のいずれか１項に記載の唇化粧料シート体。
【請求項６】
前記カバーシートは、前記シート本体に対して開閉可能に取り付けられてなる、請求項１乃至５のいずれか１項に記載の唇化粧料シート体。
【請求項７】
前記カバーシートには、そのカバーシートを前記シート本体から開いて前記コーティング面に唇を当てる際に、その唇を前記抜き孔に合わせるための目安となる、目印が設けられている、請求項６に記載の唇化粧料シート体。
【請求項８】
前記唇化粧料が口紅である、請求項１乃至７のいずれか１項に記載の唇化粧料シート体。
【発明の詳細な説明】
【技術分野】
【０００１】
この発明は、刷毛や指を用いなくても、折り曲げて唇で挟むことでその唇に唇化粧料を塗ることができるシート本体を備えた、唇化粧料シート体に関するものである。
【背景技術】
【０００２】
従来、携帯性に優れ、指や塗布具を用いることなく唇に口紅等の化粧料を塗ることができる、シート型口紅があった。これは、口紅を、人の唇型に印刷コーティングしたコーティングシートで形成し、使用の際には、口紅の印刷面が外側になるように折り曲げ、唇で挟んでその口紅の印刷面に唇を押し付けることにより、口紅を塗ることができるようにしたものであった。
【０００３】
その後、同様のシート型口紅に、コーティングシートの口紅コーティング層を保護するためのカバーシートを設けた発明がなされている（例えば、特許文献１参照。）。このシート型口紅は、口紅コーティング層の口紅がカバーシートに付着するのを低減あるいは避けるために、コーティングシートとカバーシートとの対向する面の一方、例えばコーティングシートに、口紅コーティング層を突き抜ける複数の突出部を設けており、それら突出部により、口紅コーティング層とカバーシートとは離されていた。
【０００４】
【特許文献１】特開平３−８０８０７号公報
【発明の開示】
【発明が解決しようとする課題】
【０００５】
しかし、前記従来の、カバーシートを備えたシート型口紅にあっては、コーティングシートに設けられた突出部部分においては、口紅のコーティングが欠落していた。
【０００６】
この発明は、上記した従来の欠点を解決するためになされたものであり、その目的とするところは、コーティングされた唇化粧料の欠落を避けて、そのコーティング面を保護することができる唇化粧料シート体を提供することである。
【０００７】
また、他の目的は、唇化粧料を唇に的確に塗ることができる、唇化粧料シート体を提供することにある。
【課題を解決するための手段】
【０００８】
この発明に係る唇化粧料シート体は、前記目的を達成するために、次の構成からなる。すなわち、
請求項１に記載の発明に係る唇化粧料シート体は、折り曲げて唇で挟むことでその唇に唇化粧料を塗ることができるシート本体を備えた唇化粧料シート体であって、前記シート本体は、前記唇化粧料がコーティングされたコーティング面を有するコーティングシートと、そのコーティングシートの前記コーティング面上に配置されて、人の唇を模した形状あるいはそれを包含する形状の抜き孔を有するガードシートとを備え、前記ガードシート上にはカバーシートが配置されてなる。この唇化粧料シート体を使用する際は、前記カバーシートをめくり、前記コーティング面が外側になるようにガードシートとコーティングシートとを一緒に折り曲げて、コーティング面が唇に触れるように唇で挟むことで、唇化粧料を唇に塗る。ここで、この唇化粧料シート体は、カバーシートが設けられているため、コーティング面を保護することができ、コーティングシートにコーティングされた唇化粧料が、使用時以外、例えば、携帯の際などに、使用者が塗布対象として意図していない箇所に付着してその箇所を汚してしまうことや、コーティングされた唇化粧料が剥離してしまうことを防ぐことが可能となる。しかも、カバーシートとコーティング面との間に設けられたガードシートの厚みにより、カバーシートとコーティング面とが離されるため、従来のようなコーティング層を突き抜ける突出部を設けることなく、唇化粧料がカバーシート側に付着するのを低減あるいは避けることができる。さらに、ガードシートによりコーティング面が部分的に覆われているので、唇化粧料シート体を使用する際、使用者が、ガードシートの、前記覆っている部分に指を当てて唇化粧料シート体を保持すれば、コーティングシートにコーティングされた唇化粧料が指に付着することもない。
【０００９】
また、請求項２に記載の唇化粧料シート体のように、請求項１に記載の唇化粧料シート体において、前記コーティング面は、前記唇化粧料が前記コーティングシートの全面に及ぶようにコーティングされていてもよい。このように、この唇化粧料シート体においては、コーティングシートとなるシートの全面に唇化粧料のコーティングを施し、その後にこのコーティングがなされたシートを、唇化粧料シート体を構成するコーティングシートとして適切な大きさおよび形状に切断することができる。こうして、コーティングを人の唇を模した形状などの範囲に制約されることなく施すことができるので、コーティング作業が簡潔になり、コーティングされた唇化粧料からなるコーティング層の厚さの調整を、簡単かつ正確に行なうことができる。
【００１０】
また、請求項３に記載の唇化粧料シート体のように、請求項１または２に記載の唇化粧料シート体において、前記コーティングシートの、前記コーティング面とは反対の側に、前記シート本体を構成するベースシートが設けられており、そのベースシートには、折り曲げのための、印、折り目、またはミシン目が設けられていてもよい。これにより、コーティングシートは、ベースシートにより担持され、コーティングシートの厚みが薄い場合でも、的確にその平板形状を保持できる。また、前記ベースシートに、折り曲げのための、印、折り目、またはミシン目が設けられることで、カバーシートをめくった唇化粧料シート体、すなわち、シート本体を簡単に折り曲げることができる。
【００１１】
また、請求項４に記載の唇化粧料シート体のように、請求項１乃至３のいずれか１項に記載の唇化粧料シート体において、前記カバーシートの、前記ガードシートと対面する側の面、あるいは前記ガードシートの、前記カバーシートと対面する側の面に、凹凸状の加工が施されていてもよい。これにより、カバーシートとコーティング面とはより大きく離される。
【００１２】
また、請求項５に記載の唇化粧料シート体のように、請求項１乃至４のいずれか１項に記載の唇化粧料シート体において、前記コーティングシートまたは／および前記ガードシートには、折り曲げのための、印、折り目、またはミシン目が設けられていてもよい。これにより、シート本体を折り曲げ易くなり、唇化粧料シート体の使い勝手がよくなる。
【００１３】
また、請求項６に記載の唇化粧料シート体のように、請求項１乃至５のいずれか１項に記載の唇化粧料シート体において、前記カバーシートは、前記シート本体に対して開閉可能に取り付けられていてもよい。
【００１４】
また、請求項７に記載の唇化粧料シート体のように、請求項６に記載の唇化粧料シート体において、前記カバーシートには、そのカバーシートを前記シート本体から開いて前記コーティング面に唇を当てる際に、その唇を前記抜き孔に合わせるための目安となる、目印が設けられてもよい。これにより、カバーシートをシート本体から開いてコーティングシートのコーティング面に、唇を当てる際に、カバーシートに設けられた目印を目安にして、唇をガードシートの抜き孔に合わせることができる。
【００１５】
また、請求項８に記載の唇化粧料シート体のように、請求項１乃至７のいずれか１項に記載の唇化粧料シート体において、前記唇化粧料は口紅であってもよい。
【発明の効果】
【００１６】
この発明に係る唇化粧料シート体によれば、次の効果がある。
【００１７】
請求項１〜６、および８に記載された唇化粧料シート体によれば、コーティングシートとカバーシートとの間に、抜き孔を有するガードシートを設けることで、唇化粧料の欠落を避けて、唇化粧料が施されたコーティング面を保護することができる。
【００１８】
また、請求項７に記載された唇化粧料シート体によれば、加えて、カバーシートに設けられた目印を目安にして、唇をガードシートの抜き孔に合わせることができるため、唇化粧料を唇に的確に塗ることができる。
【発明を実施するための最良の形態】
【００１９】
以下、本発明に係る唇化粧料シート体を実施するための最良の形態について、図面に基づいて説明する。
【００２０】
図１〜４は、本発明の一実施の形態を示す。図中符号１は、折り曲げて唇で挟むことでその唇に唇化粧料を塗ることのできるシート本体Ｂを備えた、唇化粧料シート体としての口紅シート体である。前記シート本体Ｂは、図示実施の形態においては、唇化粧料がコーティングされたコーティング面２ａを有するコーティングシート２と、そのコーティングシート２の前記コーティング面２ａ上に配置されて、人の唇を模した形状の抜き孔３ａを有するガードシート３と、前記コーティングシート２の、前記コーティング面２ａとは反対の側に設けられるベースシート４とを備える。そして、前記ガードシート３上には、カバーシート５が配置されている。したがって、口紅シート体１は、上から、カバーシート５、ガードシート３、コーティングシート２およびベースシート４の順で位置するように構成されている。口紅シート体１を構成する前記全てのシート５、３、２および４は、例えば、矩形状、図示実施の形態においては、長方形状に形成されている。なお、図１〜４は、カバーシート５、ガードシート３、コーティングシート２およびベースシート４の位置関係を示すものであって、各シートの厚みおよび寸法、またその他の要素の寸法については正確には示していない。
【００２１】
前記コーティングシート２の基材は、例えば、ＯＰフィルムあるいはＰＥＴフィルム等のプラスチックシート、あるいは、防水加工または防油加工した紙からなり、その厚みは３０〜５００μｍの範囲内となるのが好ましく、さらに好ましいのは、４０〜６０μｍの範囲内である。このコーティングシート２の基材には、その一方の面に、唇化粧料としての口紅を、グラビア印刷、シルク印刷、ロールコーター等で全面に及ぶようにコーティングし乾燥させることで、前記コーティング面２ａが設けられる。コーティングされた口紅からなるコーティング層は、乾燥させた後に、その厚みが１０〜９０μｍの範囲内となるのが好ましく、さらに好ましいのは、１０〜６０μｍの範囲内である。そして、コーティング層を乾燥させたコーティングシート２を、人の唇を十分に覆うことが可能な大きさ、好ましくはその唇の周囲より少なくとも５〜１０ｍｍの広い範囲を囲む大きさで、正方形とか長方形とかの矩形状にカットする。なお、この場合の「人の唇」とは、成人の一般的な大きさの唇を想定すればよいであろう。
【００２２】
コーティングされる口紅としては、ワックス類（カルナウバロウ、ミツロウ、キャンデリラロウ、木ロウ、固形パラフィン、マイクロクリスタリンワックス、セレシン等）、油類（カカオ脂、ヒマシ油、ホホバ油、マカデミアナッツ油、ラノリン、ワセリン、流動パラフィン等）、エステル油（２−エチルヘキサン酸セチル等）を単独又は組み合わせて用いてなる油性基材と、化粧用タール色素（赤色２０１号等）、無機顔料（二酸化チタン、ベンガラ、黄酸化鉄、黒酸化鉄等）、パール顔料（雲母チタン、着色雲母チタン等）を組み合わせて用いてなる着色剤と、酸化防止剤（トコフェロール等）や防腐剤（メチルパラベン等）、香料等を組み合わせて用いてなるその他の添加物等を、適宜組み合わせたものを使用することができる。
【００２３】
またコーティングシート２の、前記コーティング面２ａ上には、ガードシート３が設けられている。このガードシート３は、例えば、ＯＰフィルムあるいはＰＥＴフィルム等のプラスチックシート、防水加工または防油加工した紙、あるいは、食品に好適に使用できる紙などからなり、その厚みは、５０〜１０００μｍの範囲内が好ましい。
【００２４】
前記ガードシート３は、その略中央に、既述した人の唇を模した形状の抜き孔３ａを有しており、この抜き孔３ａの範囲においてはコーティング面２ａを露出させることとなる。口紅シート体１を使用する際には、使用者Ｕは、図３に示されるように、ガードシート３に指Ｆを当てて口紅シート体１を保持し、そして、コーティング面２ａの、抜き孔３ａの範囲において露出した領域を唇で挟むことによって、コーティングされた口紅を唇に転写するように塗る。
【００２５】
ガードシート３には、このガードシート３の左右方向の一辺から対向する他辺に亘り、かつガードシート３の略中央を通るように、折り曲げのためのミシン目３ｂが設けられている。すなわち、図示実施の形態では、ガードシート３が、その長辺が左右方向に延びる長方形であり、前記ミシン目３ｂは、そのガードシート３を左右方向に直線状に横切るように設けられている。また、このミシン目３ｂは、抜き孔３ａの長手方向における左右両端部、すなわち唇形状における両口角部にあたる箇所を通るように設けられている。
【００２６】
さらに、ガードシート３は、使用の際、抜き孔３ａに使用者Ｕの唇を宛がうようにすれば、マスキングシートとしても機能する。具体的には、使用者Ｕがシート本体Ｂを折り曲げて唇で挟んだ時、ガードシート３の、抜き孔３ａ以外の部分によって、コーティング面２ａが、口紅の塗布対象として意図した唇の範囲以外の部分に触れるのを防ぐ。
【００２７】
ガードシート３上には、カバーシート５が設けられている。このカバーシート５は、例えば、ＯＰフィルムあるいはＰＥＴフィルム等のプラスチックシートからなり、その厚みは、３０〜２００μｍの範囲内となるのが好ましく、さらに好ましいのは、４０〜１００μｍの範囲内である。もっとも、カバーシート５は、ＯＰフィルムあるいはＰＥＴフィルム等のプラスチックシートからならなくとも、ガードシート３と対面する側、すなわちカバーシート５の裏側に、ＯＰフィルムあるいはＰＥＴフィルム等のプラスチックシートを備えるものであってもよい。
【００２８】
カバーシート５は、少なくとも、コーティング面２ａの、ガードシート３の抜き孔３ａの範囲において露出している領域をカバーしている。また、カバーシート５の、ガードシート３と対面する側の面、すなわちカバーシート５の裏側の面には、その全面に、例えばエンボス加工等によって、凹凸状の加工が施されて、突部５ａ、５ａが形成されている。
【００２９】
また、コーティングシート２の、コーティング面２ａとは反対の側、すなわち、コーティングシート２の裏面側に、ベースシート４が設けられている。このベースシート４は、例えば、５０〜５００μｍの範囲内の厚みの、ＯＰフィルムあるいはＰＥＴフィルム等のプラスチックシート、あるいは、防水加工または防油加工した紙からなるのが好ましい。
【００３０】
ベースシート４には、ガードシート３に設けられたミシン目３ｂに対応する位置に、折り曲げのためのミシン目４ａが設けられている。図示実施の形態では、ベースシート４が、その長辺が左右方向に延びる長方形であり、前記ミシン目４ａは、そのベースシート４を左右方向に直線状に横切るように設けられている。
【００３１】
上述の、口紅シート体１を構成する、カバーシート５、ガードシート３、コーティングシート２およびベースシート４は、図示実施の形態においては、カバーシート５を除いて、ミシン目３ｂ、４ａが設けられた位置を中間に挟んだ離れた２ヶ所の端縁部において、互いに固着６、７され組み合わされている。カバーシート５については、一ヶ所の端縁部において固着６されることにより、その他のシート３、２および４、すなわち、シート本体Ｂに対して開閉可能に取り付けられている。この場合の「固着」とは、接着剤を用いた接着以外にも、その具体的な方法は様々に考えられ、シートの材質によっては、熱や超音波、レーザー等を用いた溶着も可能である。また、糸等による縫合とか、金属、金具、プラスチック片等による固着でも構わない。また、コーティングシート２の固着箇所には、口紅がコーティングされていても、いなくてもよい。さらにこの固着は、スポット状になされてもよいし、ライン状になされてもよいし、あるいは、面状になされてもよく、また、固着箇所は、一ヶ所や２ヶ所に限られるものではないなど、固着方法、固着箇所については、図示実施の形態に限られるものではない。
【００３２】
さらに、図３および４に示すように、カバーシート５には、そのカバーシート５をシート本体Ｂから開いてコーティング面２ａに唇を当てる際に、その唇をガードシート３の抜き孔３ａに合わせるための目安となる、目印５ｂが設けられている。これにより、カバーシート５をシート本体Ｂから開いてコーティングシート２のコーティング面２ａに、唇を当てる際に、カバーシート５に設けられた目印５ｂを目安にして、唇をガードシート３の抜き孔３ａに合わせることができる。このため、口紅（唇化粧料）を唇に的確に塗ることができる。
【００３３】
詳細には、カバーシート５の、カバーシート５をめくって口紅シート体１を使用する際に使用者Ｕが目視し易い位置に、位置決めのための目印５ｂを設けている。この目印５ｂは、図示実施の形態では、カバーシート５をめくって開いた時のカバーシート５（すなわち、カバーシート５の裏面）の上辺中央付近に設けられていて、この口紅シート体１の、横方向における中央位置を示している。具体的な使用方法としては、使用者Ｕは、口紅シート体１を使用する際、カバーシート５に設けられた位置決めのための目印５ｂを目安に口紅シート体１を位置決めして保持し、コーティング面２ａを唇で挟んで口紅を唇に塗る。ガードシート３をマスキングシートとして機能させたい場合には、ガードシート３の抜き孔３ａの形状に使用者Ｕの唇の外形を合わせるよう位置決めしたいので、この目印５ｂは特に有用である。
【００３４】
以上の構成からなる口紅シート体１によれば、次のような作用効果がある。この口紅シート体１は、口紅がコーティングされたコーティング面２ａを保護するカバーシート５を備えており、かつ、コーティング面２ａとカバーシート５との間にガードシート３を備えているため、そのガードシート３の厚みにより、コーティング面２ａとカバーシート５とが離され、カバーシート５がコーティング面２ａに接触し難く、口紅がカバーシート５側に付着するのを低減あるいは避けることができる。
【００３５】
また、ガードシート３は、唇の外形を模した抜き孔３ａを有しており、それ以外の部分においてはコーティング面２ａを覆っているため、口紅シート体１の使用の際、使用者Ｕが、ガードシート３の、前記覆っている部分に指を当てて口紅シート体１を保持すれば、コーティングシート２にコーティングされた口紅が指に付着することもない。さらに、シート本体Ｂを唇で挟む際、抜き孔３ａに使用者Ｕの唇を宛がうようにすれば、ガードシート３はマスキングシートとして機能し、使用時に、塗布対象として意図した唇の範囲以外に口紅が付着するのを防ぐ効果がある。
【００３６】
このように、コーティング面２ａ上にガードシート３を備えているため、口紅は、コーティングシート２の全面に及ぶようにコーティングされていてもよい。そして、このように、コーティングシート２となるシートの全面に口紅のコーティングを施した場合には、その後に、このコーティングがなされたシートを、口紅シート体１を構成するコーティングシート２として適切な大きさおよび形状に切断することができる。こうして、コーティング工程において、人の唇を模した形状などの範囲に制約されることなく、容易にコーティングを施すことができる。したがって、コーティング作業が簡潔になり、コーティングされた口紅からなるコーティング層の厚さの調整を、簡単かつ正確に行なうことができる。
【００３７】
また、コーティングシート２を担持するベースシート４を設けているので、コーティングシート２は、より的確にその平板形状を保持できる。
【００３８】
さらに、カバーシート５に施された凹凸状の加工により記コーティング面２ａとカバーシート５の間はより大きく離すことが可能となる。
【００３９】
また、ガードシート３およびベースシート４において、シート本体Ｂを折り曲げるためのミシン目３ｂ、４ａが設けられていることで、使用の際、シート本体Ｂを折り曲げ易い。
【００４０】
この口紅シート体１は、シート状であるため嵩張らず、また、ガードシート３の厚みとカバーシート５に設けられた突部５ａ、５ａによってコーティング面２ａより離されたカバーシート５によって、コーティング面２ａが保護されているため、使用者Ｕが携帯するのに好適であるだけでなく、口紅のサンプルとして、街頭で配布したり、付録として雑誌等に綴じたり、あるいはダイレクトメール等に同封するのにも適している。
【００４１】
なお、本発明は、上述した実施の形態に限定されるわけではなく、その他種々の変更が可能である。例えば、口紅シート体１は、主に使い捨て口紅として使用されることを想定しているが、コーティングシート２に設けられる口紅のコーティング層の厚みを調節することによって、ある程度繰り返し使用できるタイプとして実施することも可能となる。
【００４２】
また、コーティングシート２には、通常の着色をするための口紅のみならず、一般に「ラメ」や「グリッター」と呼ばれる、輝きを与える顔料を含む口紅をコーティングしてもよい。
【００４３】
また、コーティングシート２に、折り曲げのための、印、折り目、またはミシン目が設けられていてもよい。
【００４４】
また、ガードシート３のミシン目３ｂは、印や折り目であってもよいし、あるいは、なくてもよい。また、ベースシート４のミシン目４ａについても、印や折り目であってもよいし、あるいは、なくてもよい。
【００４５】
また、ガードシート３の抜き孔３ａは、人の唇を模した形状でなくてもよく、人の唇を模した形状を包含する形状、例えば楕円形、あるいはその他の形状であっても構わない。
【００４６】
また、ベースシート４はなくてもよい。その場合は、コーティングシート２が、十分な厚みがあって、折り曲げてもよれなどが生じにくいものであれば好ましい。
【００４７】
また、カバーシート５の、位置決めのための目印５ｂは、カバーシート５をめくって開いた時のカバーシート５の上辺中央付近に設けられていなくてもよく、使用者Ｕが口紅シート体１を位置決めするのに有用である任意の位置でよい。また、この目印５ｂは、なくてもよい。
【００４８】
また、カバーシート５の凹凸状の加工は、全面に施されていなくてもよく、部分的に施されていてもよいし、全くなくてもよい。また、ガードシート３の、カバーシート５と対面する側の面、すなわち、ガードシート３の表側の面に、例えばエンボス加工等によって、凹凸状の加工を、全面にあるいは部分的に、施してもよい。さらに、これら凹凸状の加工は、前記実施の形態に示されるような形状の突部５ａ、５ａに限らず、他の形状からなる凹凸状の加工であってもよい。
【００４９】
また、カバーシート５の、ガードシート３と対面する側の面に、離型剤をコーティングして、口紅（唇化粧料）がカバーシート５側に付着しにくいようにしても構わない。
【００５０】
また、カバーシート５は、他のシートと同様の形状でなくても良く、コーティング面２ａが、使用者Ｕが意図した塗布対象外の箇所に接触した際に付着してその箇所を汚したり、コーティングが剥離したりすることを防ぐことが可能であれば、他のシートと異なる形状であってもよい。
【００５１】
カバーシート５についてさらに言えば、使い捨て口紅としての使用が意図された口紅シート体１においては、カバーシート５は、使用前の保管および携帯等（商品として出荷される際の梱包、搬送、陳列等も含む）の状態において、コーティング面２ａを保護していればよい。つまり、カバーシート５が、口紅シート体１の使用のために一旦開かれた後は、再度コーティング面２ａを覆うよう閉じられる必要はなく、口紅シート体１、すなわちシート本体Ｂから完全に分離してよい。したがって、使い捨て口紅としての口紅シート体１においては、カバーシート５は開閉可能な固着方法によらなくても、不可逆的に開かれるような態様、例えば、カバーシート５が、ガードシート３の抜き孔３ａの周囲を囲むようにして、接着剤等で剥離可能に接着されるなどの態様で、ガードシート３に固着されていてもよい。
【００５２】
また、使い捨て口紅としての使用が意図された口紅シート体１においては、カバーシート５は、ガードシート３に、緊張させて固着されてもよい。このような態様でカバーシート５を設ければ、カバーシート５がフィルム状の薄いものからなっている場合でも、カバーシート５とコーティング面２ａとは、付着することなく確実に離される。
【００５３】
また、図示実施の形態においては、ガードシート３、コーティングシート２およびベースシート４は、２ヶ所の端縁部で固着６および７されているが、固着７については省略してもよい。
【００５４】
なお、図示実施の形態においては、唇化粧料として口紅を用いた口紅シート体１について述べたが、本発明の唇化粧料シート体は、そのコーティングシート２に、口紅以外のもの、例えば、リップクリームとかリップグロス等を唇化粧料としてコーティングした、リップクリームシート体とかリップグロスシート体としても実施可能である。
【図面の簡単な説明】
【００５５】
【図１】この発明に係る唇化粧料シート体としての口紅シート体の、一実施の形態を示す分解斜視図である。
【図２】同じく、口紅シート体を構成する各シートの位置関係を示す断面図である。
【図３】同じく、口紅シート体のシート本体が使用に際して折り曲げられた状態を示す斜視図である。
【図４】同じく、口紅シート体の使用方法を示す側面図である。
【符号の説明】
【００５６】
１    口紅シート体（唇化粧料シート体）
２    コーティングシート
２ａ  コーティング面
３    ガードシート
３ａ  抜き孔
３ｂ  ミシン目
４    ベースシート
４ａ  ミシン目
５    カバーシート
５ａ  突部
５ｂ  目印
Ｂ    シート本体
【図１】
2008029522.tif 000003
【図２】
2008029522.tif 000004
【図３】
2008029522.tif 000005
【図４】
2008029522.tif 000006